(57)【要約】【課題】自装置と外部装置を連係させる場合の操作性を向上させること。【解決手段】記憶手段２０１は、機能と、自装置が単独で当該機能に対応する処理を実行する第１手順と、自装置が外部装置と連係して当該機能に対応する処理を実行する第２手順とを対応付けた手順情報を記憶する。表示手段２０８は、少なくとも１つの操作ボタンを有する自装置の操作用画面又は外部装置の操作用画面を表示する。また、表示手段２０８は、自装置の操作用画面を表示した場合に機能に対する第１手順に関する情報と対応付けられた操作ボタンを表示し、外部装置の操作用画面を表示した場合に機能に対する第２手順に関する情報と対応付けられた操作ボタンを表示する。【選択図】図４
2014187608.tif 000002
【特許請求の範囲】
【請求項１】
機能と、自装置が単独で当該機能に対応する処理を実行する第１手順と、自装置が外部装置と連係して当該機能に対応する処理を実行する第２手順とを対応付けた手順情報を記憶する記憶手段と、
少なくとも１つの操作ボタンを有する前記自装置の操作用画面又は前記外部装置の操作用画面を表示する表示手段とを有し、
前記表示手段は、前記自装置の操作用画面を表示した場合に前記機能に対する前記第１手順に関する情報と対応付けられた前記操作ボタンを表示し、前記外部装置の操作用画面を表示した場合に前記機能に対する前記第２手順に関する情報と対応付けられた前記操作ボタンを表示する
電子機器。
【請求項２】
前記外部装置と通信する通信手段と、
前記表示手段によって表示された操作用画面上の操作を受け付ける受付手段と、
前記機能を指定する操作が前記受付手段によって受け付けられた場合に、指定された機能に対応する前記第１手順に従って処理を実行するように自装置を制御する第１制御手段と、
自装置と連係させる外部装置を指定する操作が前記受付手段によって受け付けられた場合であって、当該外部装置で表示される操作用画面を前記表示手段に表示させ、表示された操作用画面上で前記機能を指定する操作が前記受付手段によって受け付けられたときに、指定された機能に対応する前記第２手順に従って、予め自装置に割り当てられた処理を実行するように自装置を制御するとともに、予め当該外部装置に割り当てられた処理を前記通信手段を介して当該外部装置に要求する第２制御手段と
を有する請求項１に記載の電子機器。
【請求項３】
前記第２制御手段は、自装置と連係させる外部装置を指定する操作が前記受付手段によって受け付けられた場合に、当該外部装置で表示される操作用画面を表す操作用画面データを前記通信手段を介して当該外部装置から取得し、取得した操作用画面データに基づく操作用画面を前記受付手段に表示させる
請求項２に記載の電子機器。
【請求項４】
原稿を読み取って画像データを生成する読取手段を有し、
前記第２制御手段は、第１機能を指定する操作が前記受付手段によって受け付けられた場合に、前記読取手段による画像データの生成と、前記通信手段による当該画像データの前記外部装置への送信とを実行するように自装置を制御し、自装置から受信した画像データを指定された宛先にファクシミリによって送信する処理を前記外部装置に要求する
請求項１乃至３のいずれか一項に記載の電子機器。
【請求項５】
画像データに基づく画像を形成する画像形成手段を有し、
前記第２制御手段は、第２機能を指定する操作が前記受付手段によって受け付けられた場合に、ポーリングによる画像データの受信と、受信した画像データの自装置への送信とを前記外部装置に要求し、前記通信手段による当該画像データの受信と、前記画像形成手段による当該画像データに基づく画像の形成とを実行するように自装置を制御する
請求項１乃至４のいずれか１項に記載の電子機器。
【請求項６】
画像データに基づく画像を形成する画像形成手段を有し、
前記第２制御手段は、第３機能を指定する操作が前記受付手段によって受け付けられた場合に、前記外部装置に蓄積された画像データの自装置への送信を前記外部装置に要求し、前記通信手段による当該画像データの受信と、前記画像形成手段による当該画像データに基づく画像の形成とを実行するように自装置を制御する
請求項１乃至５のいずれか１項に記載の電子機器。
【請求項７】
機能と、自装置が制御する電子機器が単独で当該機能に対応する処理を実行する第１手順と、当該電子機器が外部装置と連係して当該機能に対応する処理を実行する第２手順とを対応付けた手順情報を記憶する記憶手段と、
少なくとも１つの操作ボタンを有する前記電子機器の操作用画面又は前記外部装置の操作用画面を表示装置に表示する表示手段とを有し、
前記表示手段は、前記電子機器の操作用画面を表示した場合に前記機能に対する前記第１手順に関する情報と対応付けられた前記操作ボタンを表示し、前記外部装置の操作用画面を表示した場合に前記機能に対する前記第２手順に関する情報と対応付けられた前記操作ボタンを表示する
制御装置。
【請求項８】
電子機器を制御するコンピュータを、
機能と、前記電子機器が単独で当該機能に対応する処理を実行する第１手順と、前記電子機器が外部装置と連係して当該機能に対応する処理を実行する第２手順とを対応付けた手順情報を記憶する記憶手段と、
少なくとも１つの操作ボタンを有する前記電子機器の操作用画面又は前記外部装置の操作用画面を表示装置に表示する表示手段
として機能させるためのプログラムであって、
前記表示手段は、前記電子機器の操作用画面を表示した場合に前記機能に対する前記第１手順に関する情報と対応付けられた前記操作ボタンを表示し、前記外部装置の操作用画面を表示した場合に前記機能に対する前記第２手順に関する情報と対応付けられた前記操作ボタンを表示する
プログラム。
【発明の詳細な説明】
【技術分野】
【０００１】
本発明は、電子機器、制御装置及びプログラムに関する。
【背景技術】
【０００２】
特許文献１は、自装置が印刷中である場合に、自装置とネットワークで接続された印刷中でない装置に関する情報を表示し、ユーザがいずれかの装置を指定したならば、指定された装置に画像データを転送する技術について記載されている。
【先行技術文献】
【特許文献】
【０００３】
【特許文献１】特開２００５−１６７６３７号公報
【発明の概要】
【発明が解決しようとする課題】
【０００４】
本発明は、自装置と外部装置を連係させる場合の操作性を向上させることを目的とする。
【課題を解決するための手段】
【０００５】
請求項１に係る発明は、機能と、自装置が単独で当該機能に対応する処理を実行する第１手順と、自装置が外部装置と連係して当該機能に対応する処理を実行する第２手順とを対応付けた手順情報を記憶する記憶手段と、少なくとも１つの操作ボタンを有する前記自装置の操作用画面又は前記外部装置の操作用画面を表示する表示手段とを有し、前記表示手段は、前記自装置の操作用画面を表示した場合に前記機能に対する前記第１手順に関する情報と対応付けられた前記操作ボタンを表示し、前記外部装置の操作用画面を表示した場合に前記機能に対する前記第２手順に関する情報と対応付けられた前記操作ボタンを表示する電子機器である。
請求項２に係る発明は、請求項１に記載の電子機器において、前記外部装置と通信する通信手段と、前記表示手段によって表示された操作用画面上の操作を受け付ける受付手段と、前記機能を指定する操作が前記受付手段によって受け付けられた場合に、指定された機能に対応する前記第１手順に従って処理を実行するように自装置を制御する第１制御手段と、自装置と連係させる外部装置を指定する操作が前記受付手段によって受け付けられた場合であって、当該外部装置で表示される操作用画面を前記表示手段に表示させ、表示された操作用画面上で前記機能を指定する操作が前記受付手段によって受け付けられたときに、指定された機能に対応する前記第２手順に従って、予め自装置に割り当てられた処理を実行するように自装置を制御するとともに、予め当該外部装置に割り当てられた処理を前記通信手段を介して当該外部装置に要求する第２制御手段とを有する。
請求項３に係る発明は、請求項２に記載の電子機器において、前記第２制御手段は、自装置と連係させる外部装置を指定する操作が前記受付手段によって受け付けられた場合に、当該外部装置で表示される操作用画面を表す操作用画面データを前記通信手段を介して当該外部装置から取得し、取得した操作用画面データに基づく操作用画面を前記受付手段に表示させる。
【０００６】
請求項４に係る発明は、請求項１乃至３のいずれか一項に記載の電子機器において、原稿を読み取って画像データを生成する読取手段を有し、前記第２制御手段は、第１機能を指定する操作が前記受付手段によって受け付けられた場合に、前記読取手段による画像データの生成と、前記通信手段による当該画像データの前記外部装置への送信とを実行するように自装置を制御し、自装置から受信した画像データを指定された宛先にファクシミリによって送信する処理を前記外部装置に要求する。
請求項５に係る発明は、請求項１乃至４のいずれか１項に記載の電子機器において、画像データに基づく画像を形成する画像形成手段を有し、前記第２制御手段は、第２機能を指定する操作が前記受付手段によって受け付けられた場合に、ポーリングによる画像データの受信と、受信した画像データの自装置への送信とを前記外部装置に要求し、前記通信手段による当該画像データの受信と、前記画像形成手段による当該画像データに基づく画像の形成とを実行するように自装置を制御する。
請求項６に係る発明は、請求項１乃至５のいずれか１項に記載の電子機器において、画像データに基づく画像を形成する画像形成手段を有し、前記第２制御手段は、第３機能を指定する操作が前記受付手段によって受け付けられた場合に、前記外部装置に蓄積された画像データの自装置への送信を前記外部装置に要求し、前記通信手段による当該画像データの受信と、前記画像形成手段による当該画像データに基づく画像の形成とを実行するように自装置を制御する。
【０００７】
請求項７に係る発明は、機能と、自装置が制御する電子機器が単独で当該機能に対応する処理を実行する第１手順と、当該電子機器が外部装置と連係して当該機能に対応する処理を実行する第２手順とを対応付けた手順情報を記憶する記憶手段と、少なくとも１つの操作ボタンを有する前記電子機器の操作用画面又は前記外部装置の操作用画面を表示装置に表示する表示手段とを有し、前記表示手段は、前記電子機器の操作用画面を表示した場合に前記機能に対する前記第１手順に関する情報と対応付けられた前記操作ボタンを表示し、前記外部装置の操作用画面を表示した場合に前記機能に対する前記第２手順に関する情報と対応付けられた前記操作ボタンを表示する制御装置である。
請求項８に係る発明は、電子機器を制御するコンピュータを、機能と、前記電子機器が単独で当該機能に対応する処理を実行する第１手順と、前記電子機器が外部装置と連係して当該機能に対応する処理を実行する第２手順とを対応付けた手順情報を記憶する記憶手段と、少なくとも１つの操作ボタンを有する前記電子機器の操作用画面又は前記外部装置の操作用画面を表示装置に表示する表示手段として機能させるためのプログラムであって、前記表示手段は、前記電子機器の操作用画面を表示した場合に前記機能に対する前記第１手順に関する情報と対応付けられた前記操作ボタンを表示し、前記外部装置の操作用画面を表示した場合に前記機能に対する前記第２手順に関する情報と対応付けられた前記操作ボタンを表示するプログラムである。
【発明の効果】
【０００８】
請求項１、７、８に係る発明によれば、外部装置の操作用画面を自装置に表示しない場合と比べて、自装置と外部装置を連係させる場合の操作性を向上させることができる。
請求項２に係る発明によれば、外部装置の操作用画面を用いた操作により自装置と外部装置とを連係させることができる。
請求項３に係る発明によれば、外部装置の最新の操作用画面を自装置に表示させることができる。
請求項４に係る発明によれば、外部装置の操作用画面を自装置に表示しない場合と比べて、自装置と外部装置を連係させてファクス送信を行う場合の操作性を向上させることができる。
請求項５に係る発明によれば、外部装置の操作用画面を自装置に表示しない場合と比べて、自装置と外部装置を連係させてファクスポーリング受信を行う場合の操作性を向上させることができる。
請求項６に係る発明によれば、外部装置の操作用画面を自装置に表示しない場合と比べて、自装置と外部装置を連係させて蓄積プリントを行う場合の操作性を向上させることができる。
【図面の簡単な説明】
【０００９】
【図１】実施形態の構成の全体を示す図。
【図２】画像形成装置１００のハードウェア構成を示す図。
【図３】操作部１の外観を示す図。
【図４】画像形成装置１００の機能ブロックを示す図。
【図５】手順情報３００を示す図。
【図６】操作用画面１２０Ａを示す図。
【図７】操作用画面１２０Ｂを示す図。
【図８】ファクス送信の第２手順のシーケンスを示す図。
【図９】操作用画面１３０を示す図。
【図１０】操作用画面１４０を示す図。
【図１１】操作用画面１５０を示す図。
【図１２】操作用画面１６０を示す図。
【図１３】ファクスポーリング受信の第２手順のシーケンスを示す図。
【図１４】操作用画面１７０を示す図。
【図１５】蓄積プリントの第２手順のシーケンスを示す図。
【図１６】操作用画面１８０を示す図。
【発明を実施するための形態】
【００１０】
＜ハードウェア構成＞
図１は、実施形態の構成の全体を示す図である。画像形成装置１００Ａ、１００Ｂ、１００Ｃ及び１００Ｄは、同一の構成を有する装置であり、ＬＡＮ（Local Area Network）等の通信手段で接続されている。以下の説明では、画像形成装置１００Ａ、１００Ｂ、１００Ｃ及び１００Ｄを区別しない場合には、これらを画像形成装置１００と総称する。
図２は、画像形成装置１００のハードウェア構成を示す図である。画像形成装置１００は、本発明に係る電子機器の一例である。
【００１１】
制御部４は、演算装置であるＣＰＵ（Central Processing Unit）と、記憶装置であるＲＯＭ（Read Only Memory）及びＲＡＭ（Random Access Memory）を有する（いずれも図示省略）。ＲＯＭには、ハードウェアやＯＳ（Operating System）の起動の手順を記述したファームウェアが記憶されている。ＲＡＭは、ＣＰＵが演算を実行する際のデータの記憶に用いられる。
記憶部５は、例えばハードディスク記憶装置であり、ＯＳ、アプリケーションプログラム等が記憶されており、制御部４がこのＯＳやアプリケーションを実行することによって画像形成装置１００の各部を制御する。
【００１２】
第１通信部６は、ＬＡＮ等に接続される通信Ｉ／Ｆ（Interface）であり、画像形成装置１００と他の画像形成装置１００との通信を仲介する。通信プロトコルは、例えば、Ethernet（登録商標）やTCP/IP（Transmission Control Protocol/Internet Protocol）を用いる。
第２通信部７は、電話回線に接続されるモデムであり、ファクシミリ装置との間で画像データの送受信を行う。ファクシミリの規格は、例えば、ITU-T（International Telecommunication Union Telecommunication Standardization Sector）勧告T.30である。
【００１３】
読取部２は、原稿を光学的に読み取って画像データを生成する。具体的には、読取部２は、光源、光学系、撮像素子及びアナログデジタル変換回路を備え（いずれも図示省略）、プラテンガラス２Ａ上に載せられた原稿に対して光源が光を照射し、原稿で反射された反射光が光学系を介してＲ（Red）色、Ｇ（Green）色、Ｂ（Blue）色に分解されて撮像素子に入射する。撮像素子は、入射した光を電気信号に変換して画像処理部３に供給する。また、読取部２は、原稿を載せる原稿台２Ｂと、原稿台２Ｂに載せられた原稿を１枚ずつプラテンガラス２Ａ上に搬送する原稿搬送機構２Ｃを有する。
【００１４】
画像処理部３は、画像データに対して画像処理を施す。具体的には、画像処理部３は、読取部２から供給された電気信号をＡ／Ｄ変換し、ノイズ除去、ガンマ補正、Ｒ色、Ｇ色、Ｂ色からＹ（Yellow）色、Ｍ（Magenta）色、Ｃ（Cyan）色、Ｋ（Black）色への変換、スクリーン処理等を施す。また、画像処理部３は、第１通信部６によって外部から受信した画像データに対して同様の画像処理を施す。こうして、色毎、画素毎の階調を表すラスタ形式の画像データが生成される。
【００１５】
画像形成部１０Ｙ、１０Ｍ、１０Ｃ、１０Ｋは、画像処理部３から供給された画像データに基づいて、電子写真方式により、それぞれＹ色、Ｍ色、Ｃ色、Ｋ色のトナー像を記録媒体Ｐの表面に重ねることにより、フルカラーの画像を形成する。画像形成部１０Ｙ、１０Ｍ、１０Ｃ、１０Ｋの構成は共通であるから、これらを区別する必要のない場合には画像形成部１０と総称する。また、その場合、画像形成部１０の構成要素についても、Ｙ、Ｍ、Ｃ、Ｋの表記を省略する。
【００１６】
搬送部３０は、搬送路３４に沿って記録媒体Ｐを搬送する。具体的には、媒体収容部３１には、紙等、シート状の記録媒体Ｐが積み重ねて収容されており、送り出しローラ３２が画像形成部１０の動作と同期させて回転駆動されることにより、記録媒体Ｐを１枚ずつ搬送路３４に送り出す。搬送路３４上に設けられた搬送ローラ３３が回転駆動されることにより、記録媒体Ｐが搬送路３４に沿って矢印Ｃの方向に搬送される。
【００１７】
図３は、操作部１の外観を示す図である。操作部１は、タッチパネル１１０とキーパッド１１５とを有する。
タッチパネル１１０は、液晶や有機ＥＬ（Electro-Luminescence）素子等を用いた表示装置である。タッチパネル１１０は、矩形且つ平面状の表示領域１１０ａを有し、表示領域１１０ａには操作ボタン１１１が表示される。操作ボタン１１１は、画像形成装置１００が有する各機能に対応付けられた仮想的な操作子である。タッチパネル１１０は、ユーザが表示領域１１０ａ上で行った操作を検出し、検出された操作に従って制御部４が画像形成装置１００を動作させる。タッチパネル１１０の方式は、静電容量方式、電磁誘導方式等、いかなる方式でもよい。
キーパッド１１５は、押しボタン式のキー群であり、一桁の十進数や記号（＊、＃）等を入力するためのキーと、クリア（入力した数値や記号の取り消し）、リセット（設定の取り消し）、スタート（動作の開始）、ストップ（動作の中止）、節電（節電状態の切り替え）等の各キーとを有する。
【００１８】
＜機能構成＞
図４は、画像形成装置１００の機能ブロックを示す図である。画像形成装置１００は、記憶手段２０１、通信手段２０２、受付手段２０３、第１制御手段２０４、第２制御手段２０５、読取手段２０６及び画像形成手段２０７を有する。これらの手段は、制御部４が記憶部５に記憶されているプログラムに従って画像形成装置１００のハードウェアを制御することによって実現される。
【００１９】
最初に、記憶手段２０１について説明する。記憶手段２０１は、機能と、自装置が単独で当該機能に対応する処理を実行する第１手順と、自装置が外部装置と連係して当該機能に対応する処理を実行する第２手順とを対応付けた手順情報３００を記憶する。具体的には、次のとおりである。
本実施形態では、ＬＡＮで接続された複数の画像形成装置１００のいずれかをユーザが操作する。ユーザが操作する画像形成装置１００が単独で処理を実行する第１手順と、当該画像形成装置１００が他の画像形成装置１００と連係して処理を実行する第２手順とのいずれかが、ユーザによって選択される。以下の説明では、ユーザが操作する画像形成装置１００を自装置と呼び、自装置以外の画像形成装置１００（すなわち、自装置と連係させる画像形成装置１００の候補）を外部装置と呼ぶ場合がある。
【００２０】
図５は、手順情報３００を示す図である。手順情報３００は、記憶部５に記憶される。
手順情報３００における「機能」とは、上述の機能ブロックに対応する機能を意味するのではなく、画像形成装置１００によってユーザに提供されるファクス送信、ファクスポーリング受信、蓄積プリントなどの機能を指す。各機能の詳細については後述する。
次に、手順情報３００における「手順」は、第１手順と第２手順の２項目を有する。以下、各機能の第１手順と第２手順について説明する。
【００２１】
（Ａ）ファクス送信の第１手順
（Ａ１）宛先指定
自装置の操作部１が、ユーザによる宛先の指定を受け付ける。
（Ａ２）原稿読取、画像データ生成
自装置の読取部２が、原稿を読み取って画像データを生成する。
（Ａ３）画像データ送信
自装置の第２通信部７が、電話回線経由で宛先のファクス装置に画像データを送信する。
【００２２】
（Ｂ）ファクス送信の第２手順
（Ｂ１）（Ａ１）と同じ。
（Ｂ２）（Ａ２）と同じ。
（Ｂ３）ファクス送信を外部装置に要求
自装置の制御部４が、ユーザが指定した外部装置にファクス送信を要求する。この要求は、宛先のファクス番号と（Ｂ２）で生成された画像データとを含み、ＬＡＮ経由で当該外部装置に送信される。この要求を受信した外部装置は、電話回線経由で宛先のファクス装置に画像データを送信する。
【００２３】
（Ｃ）ファクスポーリング受信の第１手順
（Ｃ１）画像データ要求
自装置の制御部４が、ユーザが指定したファクス番号に発呼する。このファクス番号に対応するファクス装置には予めポーリング受信用の画像データが記憶されており、このファクス装置から電話回線経由で自装置にこの画像データが送信される。
（Ｃ２）画像データ受信
自装置の第２通信部７が、画像データを受信する。
（Ｃ３）印刷
自装置の画像形成部１０が、受信した画像データに基づく画像を印刷する。
【００２４】
（Ｄ）ファクスポーリング受信の第２手順
（Ｄ１）ファクスポーリング受信を外部装置に要求
自装置の制御部４が、ユーザが指定した外部装置にファクスポーリング受信を要求する。この要求は、ポーリング受信用の画像データの送信元のファクス番号を含み、ＬＡＮ経由で当該外部装置に送信される。この要求を受信した外部装置は、送信元のファクス装置に発呼する。このファクス番号に対応するファクス装置には予めポーリング受信用の画像データが記憶されており、このファクス装置から電話回線経由で当該外部装置に画像データが送信される。この画像データは、当該外部装置からＬＡＮ経由で自装置に転送される。
（Ｄ２）画像データ受信
自装置の第１通信部６が、画像データを受信する。
（Ｄ３）印刷
自装置の画像形成部１０が、受信した画像データに基づく画像を印刷する。
【００２５】
（Ｅ）蓄積プリントの第１手順
（Ｅ１）ボックス指定
自装置の操作部１が、ユーザによるボックスの指定を受け付ける。ボックスとは、記憶部５に作成されたユーザ毎のディレクトリであり、各ディレクトリに固有のボックス番号が割り当てられている。例えば、ＬＡＮに接続されたコンピュータからボックス番号を指定して画像データを送信すると、その画像データは、当該ボックス番号に関連付けて記憶（蓄積）される。
（Ｅ２）印刷
自装置の操作部１が、ユーザによる印刷の指示を受け付ける。すると、自装置の画像形成部１０が、当該ボックス番号に関連付けられた画像データを記憶部５から読み出し、読み出した画像データに基づく画像を印刷する。
【００２６】
（Ｆ）蓄積プリントの第２手順
（Ｆ１）ボックス指定
自装置の操作部１が、ユーザによるボックスの指定を受け付ける。
（Ｆ２）蓄積データを外部装置に要求
自装置の制御部４が、指定されたボックスに関連付けられた画像データを、指定された外部装置に要求する。この要求は、ユーザが指定したボックスのボックス番号を含み、ＬＡＮ経由で外部装置に送信される。すると、当該ボックス番号に対応する画像データが当該外部装置からＬＡＮ経由で自装置に送信される。
（Ｆ３）蓄積データ受信
自装置の第１通信部６が、画像データを受信する。
（Ｆ４）印刷
自装置の画像形成部１０が、受信した画像データに基づく画像を印刷する。
【００２７】
次に、通信手段２０２について説明する。通信手段２０２は、ＬＡＮ経由で自装置と外部装置との通信を仲介する。通信手段２０２は、制御部４が第１通信部６を制御することによって実現される。
【００２８】
次に、表示手段２０８及び受付手段２０３について説明する。表示手段２０８は、少なくとも１つの操作ボタンを有する自装置の操作用画面又は外部装置の操作用画面を表示する。また、表示手段２０８は、自装置の操作用画面を表示した場合に機能に対する第１手順に関する情報と対応付けられた操作ボタンを表示し、外部装置の操作用画面を表示した場合に機能に対する第２手順に関する情報と対応付けられた操作ボタンを表示する。受付手段２０３は、表示手段２０８によって表示された操作用画面上の操作を受け付ける。具体的には、次のとおりである。
操作用画面は、ユーザが画像形成装置１００を操作するための操作ボタンなどが配置された画面である。記憶部５には、操作用画面を表す操作用画面データが記憶されており、制御部４が操作用画面データを読み出してタッチパネル１１０に供給することにより、タッチパネル１１０に操作用画面が表示される。操作用画面データは階層化されており、ユーザが行った操作に従っていずれかの階層の操作用画面が表示される。また、画像形成装置１００は、ファクス番号を登録し、登録されたファクス番号のリストを表示してユーザにファクス番号を選択させる機能を有する。操作用画面データには、このリストのデータも含まれる。
【００２９】
図６は、操作用画面１２０Ａを示す図である。操作用画面１２０Ａは、画像形成装置１００に電源が投入された場合に最初に表示される画面である。操作ボタン１２１、１２２、１２３、１２４は、それぞれ、ファクス送信、ファクスポーリング受信、蓄積プリント、連係処理に対応する操作ボタンである。これらの操作ボタンのいずれかにユーザが触れることによって、当該操作ボタンに対応する操作用画面が表示される。各操作ボタンに対応する操作用画面については、後述する。
画像形成装置１００に電源が投入された場合に最初に表示される画面は、換言すれば、自装置の操作用画面である。一方、自装置と連係させる外部装置を指定する操作（操作の詳細は、後述する）が受け付けられた場合には、外部装置の操作用画面が表示される。自装置の操作用画面においては、第１手順で処理を実行する場合にユーザが操作する操作ボタンが表示され、外部装置の操作用画面においては、第２手順で処理を実行する場合にユーザが操作する操作ボタンが表示される。
【００３０】
次に、第１制御手段２０４について説明する。第１制御手段２０４は、機能を指定する操作が受付手段２０３によって受け付けられた場合に、指定された機能に対応する第１手順に従って処理を実行するように自装置を制御する。具体的には、操作用画面１２０Ａにおいてファクス送信（操作ボタン１２１）が指定された場合に、制御部４は、ファクス送信の第１手順に従って（Ａ１）からの処理を実行する。操作用画面１２０Ａにおいてファクスポーリング受信（操作ボタン１２２）が指定された場合に、制御部４は、ファクスポーリング受信の第１手順に従って（Ｃ１）からの処理を実行する。操作用画面１２０Ａにおいて蓄積プリント（操作ボタン１２３）が指定された場合に、制御部４は、蓄積プリントの第１手順に従って（Ｅ１）からの処理を実行する。
【００３１】
次に、第２制御手段２０５について説明する。第２制御手段２０５は、自装置と連係させる外部装置を指定する操作が受付手段２０３によって受け付けられた場合であって、当該外部装置で表示される操作用画面を表示手段２０８に表示させ、表示された操作用画面上で機能を指定する操作が受付手段２０３によって受け付けられたときに、指定された機能に対応する第２手順に従って、予め自装置に割り当てられた処理を実行するように自装置を制御するとともに、予め当該外部装置に割り当てられた処理を通信手段２０２を介して当該外部装置に要求する。具体的には、操作用画面１２０Ａにおいて連係処理（操作ボタン１２４）が指定された場合に、自装置の制御部４が、ユーザが指定した外部装置に対して、当該外部装置で表示される操作用画面を表す操作用画面データを要求する。すると、当該外部装置から自装置に操作用画面データが送信される。自装置の制御部４は、この操作用画面データに基づく操作用画面をタッチパネル１１０に表示させる。
【００３２】
図７は、操作用画面１２０Ｂを示す図である。操作用画面１２０Ｂは、ユーザが指定した外部装置のタッチパネルに表示される操作用画面の例である。外部装置で表示される操作用画面は、自装置で表示される操作用画面と同じである場合もあるが、自装置で表示される操作用画面と異なる場合もある。例えば、外部装置においてユーザが操作用画面をカスタマイズした場合や、外部装置が自装置と異なる機能を有するためにその機能に対応する操作ボタンが表示される場合などに、自装置と外部装置とで操作用画面が異なることがある。図７の例は、スキャン＆ボックス保存に対応する操作ボタン１２５が追加された例である。スキャン＆ボックス保存は、読取部２で原稿を読み取って生成した画像データを前述のボックスに保存する機能である。
【００３３】
このようにして表示された操作用画面１２０Ｂにおいてファクス送信（操作ボタン１２１）が指定されたときに、制御部４は、ファクス送信の第２手順に従って（Ｂ１）からの処理を実行する。操作用画面１２０Ｂにおいてファクスポーリング受信（操作ボタン１２２）が指定されたときに、制御部４は、ファクスポーリング受信の第２手順に従って（Ｄ１）からの処理を実行する。操作用画面１２０Ｂにおいて蓄積プリント（操作ボタン１２３）が指定されたときに、制御部４は、蓄積プリントの第２手順に従って（Ｆ１）からの処理を実行する。
【００３４】
＜動作＞
次に、本実施形態の動作について説明する。以下の動作は、画像形成装置１００の制御部４がＲＯＭや記憶部５に記憶されたプログラムに従って画像形成装置１００の各部を制御することによって実行される。ここでは、第１手順が指定された場合の動作は従来と変わらないため説明を省略し、第２手順が指定された場合の動作について説明する。ユーザがどの画像形成装置１００を操作するかはユーザの選択に任せられるが、以下の説明では、ユーザが画像形成装置１００Ａを操作する例を示す。
【００３５】
＜動作例１  ファクス送信＞
動作例１は、自装置と外部装置との連係によりファクス送信を行う例である。
図８は、ファクス送信の第２手順のシーケンスを示す図である。
最初に、画像形成装置１００Ａのタッチパネル１１０には、操作用画面１２０Ａ（図６参照）が表示されている。ユーザは、原稿を読取部２の原稿台２Ｂに載せる。
【００３６】
ステップＳ１０１において、画像形成装置１００Ａと連係させる外部装置をユーザが指定し、その外部装置にログインする。具体的には、操作用画面１２０Ａにおいてユーザが「連係処理」（操作ボタン１２４）を指定すると、図９に示す操作用画面１３０が表示される。「戻る」（ボタン１３１）にユーザが触れると、操作用画面１２０Ａが表示される。「外部装置Ｂ」（操作ボタン１３２）、「外部装置Ｃ」（操作ボタン１３３）、「外部装置Ｄ」（操作ボタン１３４）は、それぞれ画像形成装置１００Ｂ、１００Ｃ、１００Ｄに対応する。ここでは、ユーザが「外部装置Ｂ」を指定した場合について説明する。
【００３７】
ユーザが「外部装置Ｂ」を指定すると、図１０に示す操作用画面１４０が表示される。テキストボックス１４２、１４３はそれぞれＩＤ（identifier）、パスワードを入力するための領域である。ユーザが予め定められたＩＤとパスワードをキーパッド１１５を用いて入力し、「次へ」（操作ボタン１４４）に触れると、ステップＳ１０２（図８参照）に進む。
【００３８】
ステップＳ１０２においては、画像形成装置１００Ａの制御部４が、入力されたＩＤとパスワードと画像形成装置１００Ｂに送信してログインを要求する。画像形成装置１００Ａと画像形成装置１００Ｂとの通信は、第１通信部６を介してＬＡＮ経由で行われる。
ステップＳ１０３においては、画像形成装置１００Ｂの制御部４が、画像形成装置１００Ａから受信したＩＤとパスワードの認証を行い、ＩＤとパスワードが正当である場合に、ログインが成功した旨の応答を画像形成装置１００Ａに送信する。
【００３９】
ステップＳ１０４においては、画像形成装置１００Ａの制御部４が、画像形成装置１００Ｂに操作用画面データを要求する。
ステップＳ１０５においては、画像形成装置１００Ｂの制御部４が、記憶部５から操作用画面データを読み出して画像形成装置１００Ａに送信する。
【００４０】
ステップＳ１０６においては、画像形成装置１００Ａの制御部４が、画像形成装置１００Ｂから受信した操作用画面データに基づく操作用画面をタッチパネル１１０に表示させる。ここで表示される操作用画面は、操作用画面１２０Ｂ（図７参照）である。
ステップＳ１０７においては、画像形成装置１００Ａの操作部１が、機能の指定を受け付ける。具体的には、ユーザが「ファクス送信」（図７の操作ボタン１２１）を指定すると、図１１に示す操作用画面１５０が表示される。
【００４１】
ステップＳ１０８においては、画像形成装置１００Ａの受付部１が、宛先の指定を受け付ける。具体的には、ユーザがキーパッド１１５を用いて宛先のファクス番号を入力すると、テキストボックス１５２にそのファクス番号が表示される。「次宛先」（ボタン１５３）にユーザが触れると、テキストボックス１５２に入力されたファクス番号がテキストボックス１５４に移され、ファクス番号の追加が受け付けられる。宛先の指定は、宛先表を用いて行ってもよい。「宛先表」（ボタン１５５）にユーザが触れると、図１２に示す操作用画面１６０が表示される。操作用画面１６０のリストボックス１６２には、画像形成装置１００Ｂに登録されたファクス番号が表示される。リストボックス１６２においてユーザがいずれかの宛先に触れ、「設定」（ボタン１６４）に触れると、その宛先がテキストボックス１６５に複製される。
【００４２】
ステップＳ１０９において、ユーザがキーパッド１１５のスタートキーを押下すると、画像形成装置１００Ａの読取部２が原稿を読み取り、原稿の画像を表す画像データを生成する。
ステップＳ１１０においては、画像形成装置１００Ａの制御部４が、画像形成装置１００Ｂにファクス送信を要求する。この要求には、ユーザが指定した宛先のファクス番号と読取部２が生成した画像データとが含まれる。
ステップＳ１１１においては、画像形成装置１００Ｂの制御部４が、画像形成装置１００Ａから受信した宛先のファクス番号に発呼し、受信した画像データを宛先に送信する。画像形成装置１００Ｂと宛先のファクス装置との通信は、第２通信部７を介して電話回線経由で行われる。
【００４３】
ステップＳ１１２においては、画像形成装置１００Ｂの制御部４が、宛先のファクス装置から、画像データの受信が完了したことを示す完了通知を受信する。
ステップＳ１１３においては、画像形成装置１００Ｂの制御部４が、画像形成装置１００Ａに完了通知を送信する。画像形成装置１００Ａの制御部４が完了通知を受信すると、画像データの送信が完了したことを示す文字列がタッチパネル１１０に表示される。
以上が、動作例１である。
【００４４】
動作例１は、次のような状況を想定したものである。
例えば、Ｘ社の日本支社に画像形成装置１００Ａが設置されており、Ｘ社のドイツ支社に画像形成装置１００Ｂが設置されており、Ｘ社の取引先であるＹ社の所在地がフランスであるとする。Ｘ社の日本支社からＹ社にファクス送信する場合、第１手順よりも第２手順の方が通信料金が低額になる。
あるいは、Ｘ社の或る事業所に画像形成装置１００Ａと画像形成装置１００Ｂが設置されており、画像形成装置１００Ｂだけが電話回線に接続されているとする。この場合、第１手順でファクス送信することはできないので、第２手順でファクス送信する。
あるいは、Ｘ社の或る事業所で、会議室に画像形成装置１００Ａが設置されており、或るユーザの居室に画像形成装置１００Ｂが設置されているとする。会議室で会議中にファクス送信を行う場合、画像形成装置１００Ａを使用すれば、会議室から離れずに済む。
【００４５】
いずれの場合にも、ユーザは画像形成装置１００Ａの操作部１を用いてファクス送信の指示を行うが、本実施形態では、第２手順が選択された場合に、画像形成装置１００Ｂで表示される操作用画面を画像形成装置１００Ａのタッチパネル１１０に表示するように構成されているから、画像形成装置１００Ｂの操作用画面と同じ操作性が画像形成装置１００Ａに与えられる。例えば、画像形成装置１００ＢだけにＹ社のファクス番号が登録されているとすると、画像形成装置１００Ａから画像形成装置１００Ｂにログインして画像形成装置１００Ｂの操作用画面データを取得することにより、Ｙ社のファクス番号が画像形成装置１００Ａのタッチパネル１１０に表示される（図１２参照）。
【００４６】
＜動作例２  ファクスポーリング受信＞
動作例２は、自装置と外部装置との連係によりファクスポーリング受信を行う例である。
図１３は、ファクスポーリング受信の第２手順のシーケンスを示す図である。
本実施形態においても、画像形成装置１００Ａと画像形成装置１００Ｂとの通信は、第１通信部６を介してＬＡＮ経由で行われる。画像形成装置１００Ｂとポーリング受信用の画像データの送信元のファクス装置との通信は、第２通信部７を介して電話回線経由で行われる。
ステップＳ１０１からステップＳ１０６までは、動作例１と同じである。
ステップＳ２０７においては、画像形成装置１００Ａの操作部１が、機能の指定を受け付ける。具体的には、ユーザが「ファクスポーリング受信」（図７の操作ボタン１２２）を指定すると、図１４に示す操作用画面１７０が表示される。
【００４７】
ステップＳ２０８においては、画像形成装置１００Ａの受付部１が、送信元の指定を受け付ける。具体的には、ユーザがキーパッド１１５を用いて、ポーリング受信用の画像データの送信元のファクス番号を入力すると、テキストボックス１７２にそのファクス番号が表示される。なお、送信元の指定は、動作例１の宛先表と同様に、予め登録されたファクス番号から指定するようにしてもよい。
【００４８】
ステップＳ２０９において、ユーザがキーパッド１１５のスタートキーを押下すると、画像形成装置１００Ａの制御部４が、画像形成装置１００Ｂにファクスポーリング受信を要求する。この要求には、ユーザが指定した送信元のファクス番号が含まれる。
ステップＳ２１０においては、画像形成装置１００Ｂの制御部４が、画像形成装置１００Ａから受信した送信元のファクス番号に発呼する。
【００４９】
ステップＳ２１１においては、送信元のファクス装置が、ポーリング受信用の画像データを画像形成装置１００Ｂに送信する。
ステップＳ２１２においては、画像形成装置１００Ｂの制御部４が、送信元のファクス装置から受信した画像データを画像形成装置１００Ａに送信する。
ステップＳ２１３においては、画像形成装置１００Ａの画像形成部１０が、画像形成装置１００Ｂから受信した画像データに基づく画像を印刷する。
【００５０】
動作例２は、次のような状況を想定したものである。
例えば、Ｘ社の日本支社に画像形成装置１００Ａが設置されており、Ｘ社のドイツ支社に画像形成装置１００Ｂが設置されており、ポーリング受信用の画像データの送信元であるＹ社の所在地がフランスであるとする。Ｘ社の日本支社においてＹ社からファクスポーリング受信する場合、第１手順よりも第２手順の方が通信料金が低額になる。
あるいは、Ｘ社の或る事業所に画像形成装置１００Ａと画像形成装置１００Ｂが設置されており、画像形成装置１００Ｂだけが電話回線に接続されているとする。この場合、第１手順でファクスポーリング受信することはできないので、第２手順でファクスポーリング受信を行う。
あるいは、Ｘ社の或る事業所で、会議室に画像形成装置１００Ａが設置されており、或るユーザの居室に画像形成装置１００Ｂが設置されているとする。会議室で会議中にファクスポーリング受信を行う場合、画像形成装置１００Ａを使用すれば、会議室から離れずに済む。
【００５１】
いずれの場合にも、ユーザは画像形成装置１００Ａの操作部１を用いてファクスポーリング受信の指示を行うが、本実施形態では、第２手順が選択された場合に、画像形成装置１００Ｂで表示される操作用画面を画像形成装置１００Ａのタッチパネル１１０に表示するように構成されているから、画像形成装置１００Ｂの操作用画面と同じ操作性が画像形成装置１００Ａに与えられる。例えば、画像形成装置１００ＢだけにＹ社のファクス番号が登録されているとすると、画像形成装置１００Ａから画像形成装置１００Ｂにログインして画像形成装置１００Ｂの操作用画面データを取得することにより、Ｙ社のファクス番号が画像形成装置１００Ａに表示される（図１２参照）。
【００５２】
＜動作例３  蓄積プリント＞
動作例３は、自装置と外部装置との連係により蓄積プリントを行う例である。
図１５は、蓄積プリントの第２手順のシーケンスを示す図である。
ステップＳ１０１からステップＳ１０６までは、動作例１と同じである。
ステップＳ３０７においては、画像形成装置１００Ａの操作部１が、機能の指定を受け付ける。具体的には、ユーザが「蓄積プリント」（図７の操作ボタン１２３）を指定すると、図１６に示す操作用画面１８０が表示される。
【００５３】
ステップＳ３０８においては、画像形成装置１００Ａの受付部１が、ボックスの指定を受け付ける。具体的には、操作用画面１８０には、画像形成装置１００Ｂに登録されたボックスが表示され、ユーザが自身に対応するボックスを指定する。
ステップＳ３０９において、ユーザがキーパッド１１５のスタートキーを押下すると、画像形成装置１００Ａの制御部４が、画像形成装置１００Ｂに蓄積データを要求する。この要求には、ユーザが指定したボックスのボックス番号が含まれる。
【００５４】
ステップＳ３１０においては、画像形成装置１００Ｂの制御部４が、画像形成装置１００Ａから受信したボックス番号に関連付けられた画像データを記憶部５から読み出して画像形成装置１００Ａに送信する。
ステップＳ２１３においては、画像形成装置１００Ａの画像形成部１０が、画像形成装置１００Ｂから受信した画像データに基づく画像を印刷する。
【００５５】
動作例３は、次のような状況を想定したものである。
例えば、Ｘ社の或る事業所で、会議室に画像形成装置１００Ａが設置されており、或るユーザの居室に画像形成装置１００Ｂが設置されており、或るユーザのボックスが画像形成装置１００Ｂに設定されているとする。会議室で会議中に蓄積プリントを行う場合、画像形成装置１００Ａを使用すれば、会議室から離れずに済む。本実施形態では、第２手順が選択された場合に、画像形成装置１００Ｂで表示される操作用画面を画像形成装置１００Ａのタッチパネル１１０に表示するように構成されているから、画像形成装置１００Ｂの操作用画面と同じ操作性が画像形成装置１００Ａに与えられる。すなわち、画像形成装置１００Ａから画像形成装置１００Ｂにログインして画像形成装置１００Ｂの操作用画面データを取得することにより、画像形成装置１００Ｂに設定されているボックスの操作ボタンが画像形成装置１００Ａのタッチパネル１１０に表示される（図１６参照）。
【００５６】
＜変形例＞
上記の実施形態を以下に示す変形例のように変形してもよい。また、実施形態と変形例を組み合わせてもよい。また、複数の変形例を組み合わせてもよい。
【００５７】
＜変形例１＞
実施形態では、外部装置との連係処理が選択された場合に外部装置から操作用画面データを取得する例を示したが、外部装置の操作用画面データを予め自装置の記憶部５に記憶させておき、この操作用画面データに基づく操作用画面を表示するようにしてもよい。この構成によれば、自装置から外部装置にログインした際に操作用画面データを取得するための通信が不要となる。
【００５８】
＜変形例２＞
実施形態で示した画像形成装置１００のハードウェア構成は一例に過ぎず、画像形成装置１００が実施形態と異なるハードウェア構成を有していてもよい。また、画像形成装置１００Ａ、１００Ｂ、１００Ｃ、１００Ｄが同一の構成を有する装置であってもよいし、互いに異なる構成を有する装置であってもよい。また、ＬＡＮに接続される画像形成装置１００は、２台以上であれば何台でもよい。
実施形態では、本発明に係る電子機器の一例として電子写真方式の画像形成装置の例を示したが、電子機器はどのような装置でもよい。例えば、電子機器は、インクジェット方式の画像形成装置でもよいし、スキャナ機能やファクス機能を備えない画像形成装置でもよい。また、電子機器は、パーソナルコンピュータなどの情報処理装置でもよい。
【００５９】
＜変形例３＞
また、実施形態では、図３に示す機能構成が画像形成装置１００に組み込まれている例を示したが、図３に示す機能構成を有する制御装置を画像形成装置１００と別個の装置として構成し、制御装置が画像形成装置１００を通信手段を介して制御するようにしてもよい。また、タッチパネル１１０（表示装置）を制御装置から分離し、両者を通信線で接続するようにしてもよい。
また、実施形態では、制御部４がプログラムを実行することによって画像形成装置１００を動作させる例を示したが、このプログラムを、光記録媒体、半導体メモリ等、コンピュータで読み取り可能な記録媒体に記録して提供し、この記録媒体からプログラムを読み取って記憶部５に記憶させるようにしてもよい。また、このプログラムを電気通信回線経由で提供してもよい。また、実施形態と同様の機能をハードウェアで実装してもよい。
【符号の説明】
【００６０】
１００…画像形成装置、１…操作部、２…読取部、３…画像処理部、４…制御部、５…記憶部、６…第１通信部、７…第２通信部、１０…画像形成部、３０…搬送部、３４…搬送路、１１０…タッチパネル、１１０ａ…表示領域、１１１…操作ボタン、１１５…キーパッド、２０１…記憶手段、２０２…通信手段、２０３…受付手段、２０４…第１制御手段、２０５…第２制御手段、２０６…読取手段、２０７…画像形成手段、３００…手順情報、１２０Ａ、１２０Ｂ、１３０、１４０、１５０、１６０、１７０、１８０…操作用画面
【図１】
2014187608.tif 000003
【図２】
2014187608.tif 000004
【図３】
2014187608.tif 000005
【図４】
2014187608.tif 000006
【図５】
2014187608.tif 000007
【図６】
2014187608.tif 000008
【図７】
2014187608.tif 000009
【図８】
2014187608.tif 000010
【図９】
2014187608.tif 000011
【図１０】
2014187608.tif 000012
【図１１】
2014187608.tif 000013
【図１２】
2014187608.tif 000014
【図１３】
2014187608.tif 000015
【図１４】
2014187608.tif 000016
【図１５】
2014187608.tif 000017
【図１６】
2014187608.tif 000018